(57)【要約】【課題】            粘着剤を使用せずに取付け可能であり、水に濡れたり、水気のある商品でも剥がれる心配がなく取付けることができ、サイズの異なる商品（生産品）でも対応可能であって、しかも結束機能を備える表示ラベルを提供する。【解決手段】        所定情報が表示され、商品に着脱自在に取付けられる表示ラベルであって、  ラベル本体は帯状片に形成され、このラベル本体の一端側には、大径部と小径部とよりなる係止部が設けられ、他端側には、切込線により長いスリットと短いスリットがＴ字状又は交差して設けられた係止スリット部が設けられ、長いスリットは前記係止部の大径部の直径の長さより長く形成され、短いスリットは前記係止部の小径部の直径の長さと略同じかそれより長く、かつ大径部の直径の長さより短く形成されている。【選択図】          図１
0003124432.tif 000002
【実用新案登録請求の範囲】
【請求項１】
所定情報が表示され、商品に着脱自在に取付けられる表示ラベルであって、
ラベル本体は帯状片に形成され、このラベル本体の一端側には、大径部と小径部とよりなる係止部が設けられ、他端側には、切込線により長いスリットと短いスリットがＴ字状又は交差して設けられた係止スリット部が設けられ、長いスリットは前記係止部の大径部の直径の長さより長く形成され、短いスリットは前記係止部の小径部の直径の長さと略同じかそれより長く、かつ大径部の直径の長さより短く形成されていることを特徴とする表示ラベル。
【請求項２】
前記係止部の大径部と小径部は、交互に複数が設けられていることを特徴とする請求項１記載の表示ラベル。
【請求項３】
前記長いスリットは、ラベル本体の長手方向に形成され、短いスリットは、ラベル本体の幅方向に形成されていることを特徴とする請求項１または２記載の表示ラベル。
【請求項４】
前記スリットの端部には、小孔部が形成されていることを特徴とする請求項１乃至３のいずれかに記載の表示ラベル。
【請求項５】
前記ラベル本体は、耐水性の素材で形成されていることを特徴とする請求項１乃至４のいずれかに記載の表示ラベル。
【考案の詳細な説明】
【技術分野】
【０００１】
この考案は、野菜や食品等の商品に取付けて必要情報を表示するラベルに関し、特に、野菜、食品等の商品の表示だけでなく結束にも好適で、商品のサイズが異なっても対応可能な表示ラベルに関する。
【背景技術】
【０００２】
従来から、ネギなどの野菜やソーセージ、ハンバーグなどの食品パックなどを結束して、例えば、商品名や生産地等の必要情報を表示するのに、粘着テープまたは粘着ラベルが使用されている。例えば、粘着テープには、「長ねぎ」とか「○○産」といった商品名や産地等の情報が表面に印刷され、所要の長さに切断されてネギなどの商品に結束されている。このような粘着テープや粘着ラベルは、所要の長さに切断して使用できるために、商品の大きさ、径、形状が異なっても対応できる利点がある。しかし、任意の位置で切断して使用することから、テープに印刷された情報が中途で切断されてしまう不都合がある。
また、従来の粘着テープや粘着ラベルは、素材としてポリエチレンテレフタレート、ポリプロピレン、ポリ塩化ビニル、セロハン、ポリスチレンなどのプラスチックが使用されているため、人間の手で切断することができず、結束を解くには刃物を使用しなければならないし、刃物を使用することによって商品を傷つけやすい、という課題がある。
【０００３】
そこで、このような課題を解決するものとして、易切断性、手切れ性のよい粘着テープとして、テープの素材を易切断性、手切れ性のよいプラスチックを使用したもの（例えば、特許文献１および２参照）、テープに孔、切欠き、および傷痕などを設けたもの（例えば、特許文献３および４参照）、および切取線を設けたもの（例えば、特許文献５参照）、等が提案された。
【０００４】
また、野菜等の商品に取付けて商品名、産地、生産者等の必要情報を表示するラベルとして、輪ゴムやゴムひも等の弾性取付け部材を使用して取付けるもの（例えば、特許文献６参照）、およびラベルに穴を設け、この穴を商品の一部に挿通して取付けるもの（例えば、特許文献７および８参照）、等も提案されている。
【特許文献１】特開２００４−３１５６５８号公報
【特許文献２】特開平１１−３４９９０７号公報
【特許文献３】特開平５−５９３３４号公報
【特許文献４】特開平１１−５９５６号公報
【特許文献５】特開２００５−１８７０２１号公報
【特許文献６】特開２００５−７０３７８号公報
【特許文献７】特開２００３−２３７７４７号公報
【特許文献８】実開平２−８７２７２号公報
【考案の開示】
【考案が解決しようとする課題】
【０００５】
従来の粘着テープおよび粘着ラベルは、粘着剤、糊が直接商品（生産品）に接触するため、商品が汚れる心配があるし、非衛生的である課題があるし、魚や野菜等の水気のある商品（生産品）では剥がれるおそれがある。
また、従来の弾性取付け部材を使用して商品に取付けるラベルや穴を商品の一部に挿通して取付けるラベル等は、結束機能に劣るばかりでなく、サイズの異なる商品（生産品）への対応ができない課題がある。
【０００６】
この考案は、このような課題を解決せんと提案されたものであり、その目的は、粘着剤、接着剤を使用せずに取付け可能であり、水に濡れたり、水気のある商品でも剥がれる心配がなく取付けることができ、サイズの異なる商品（生産品）でも対応可能であって、しかも結束機能を備える表示ラベルの提供にある。
【課題を解決するための手段】
【０００７】
前記目的を達成するため、この考案の表示ラベルは、所定情報が表示され、商品に着脱自在に取付けられる表示ラベルであって、ラベル本体は帯状片に形成され、このラベル本体の一端側には、大径部と小径部とよりなる係止部が設けられ、他端側には、切込線により長いスリットと短いスリットがＴ字状又は交差して設けられた係止スリット部が設けられ、長いスリットは前記係止部の大径部の直径の長さより長く形成され、短いスリットは前記係止部の小径部の直径の長さと略同じかそれより長く、かつ大径部の直径の長さより短く形成されていることを特徴とする。
【０００８】
これによりラベル本体の長いスリットは、大径部の直径の長さより長く形成されており、短いスリットは、大径部の直径の長さより短く形成されているので、大径部は長いスリットは通過（挿入）可能であるが、短いスリットは通過できない。従って、この長いスリットより挿入された大径部が短いスリット側に位置すると、短いスリットで抜け止めされる。また、短いスリットは、小径部の長径の長さと略同じかそれより長く形成されており、長いスリットと短いスリットはＴ字状又は交差して設けられているので、大径部を長いスリットより挿入し大径部が長いスリットを通過し長いスリットの位置に小径部が位置すると、この小径部を長いスリットから短いスリットに移動させ、これにより大径部も短いスリット側に位置させることができる。従って、表示ラベルは、商品に巻き回し前記のようにして係止スリット部に係止部を挿入して抜け止めさせることによって商品に取付けすることができる．
この時、係止部の大径部と小径部が交互に複数設けられていると、商品のサイズが異なっても対応可能となると共に、商品を結束することができる。従って、ネギ、ホウレン草、大根および鮮魚等の商品に適用して最適となる。
【０００９】
また、この考案の表示ラベルの長いスリットは、ラベル本体の長手方向に形成され、短いスリットは、ラベル本体の幅方向に形成されている。
これにより表示ラベルを商品に巻き回して取付けた時、表示ラベルに捩れ部分が生ずることなく取付けできる。
【００１０】
また、この考案の表示ラベルのスリットの端部には、小孔部が形成されている。これによりスリットの端部を起点として切り裂きが不用意に生ずるのが防止される。
さらに、この考案の表示ラベルのラベル本体は、耐水性の素材で形成されている。これにより水に濡れた商品や水気のある商品でも適用可能となる。
【考案の効果】
【００１１】
（１）この考案の表示ラベルは、ラベル本体が帯状片に形成され、商品に巻き回して装着し、係止部の大径部と小径部が交互に複数設けられているので、商品のサイズが異なっても対応可能となると共に、商品を結束する機能も有する。
（２）ラベル本体の表面は、情報表示領域として所定の情報を表示できる。
【００１２】
（３）この考案の表示ラベルは、商品に巻き回した後係止部を係止スリット部に挿入するだけで商品に取付けできるので、容易に取付けることができるし、また商品の使用時に表示ラベルの取り外しも前記操作と逆の操作で手で簡単に取り外しすることができる。従って、この考案の表示ラベルは、着脱が容易である。
【００１３】
（４）この考案の表示ラベルは、粘着剤や糊などを使用しないので、商品が汚れることもなく衛生的である。また、粘着剤や糊を使用しないので、水に濡れた商品や水気のある商品でも脱落することなく使用できる。
（５）また、表示ラベルのラベル本体は、耐水性の素材で形成されているので、水に濡れた商品や水気のある商品でも強度があり対応できる。
【考案を実施するための最良の形態】
【００１４】
以下、この考案の実施の形態を図面と共に詳細に説明する。図１乃至図５は、この考案の実施の形態を示し、図１はその斜視図、図２はその作用状態を示す斜視図、図３乃至図５は、それぞれ異なる使用状態を示す斜視図である。
【００１５】
この実施の形態に係る表示ラベル１１は、所定情報６が表示され、商品１０に着脱自在に取付けるものであって、ラベル本体１２は帯状片に形成され、この帯状片のラベル本体１２の一端側には、大径部１４と小径部１５とよりなる係止部１３が設けられ、他端側には、切込線により長いスリット１７と短いスリット１８がＴ字状又は交差して設けられた係止スリット部１６が形成され、長いスリット１７は前記係止部１３の大径部１４の直径Ｒの長さより長く形成され、短いスリット１８は前記係止部１３の小径部１５の直径ｒの長さと略同じかそれより長く、かつ大径部１４の直径Ｒの長さより短く形成されている。
【００１６】
ラベル本体１２の素材は、特に制限はなく、適宜の素材を選択できるが、耐水性の素材を使用すると水に濡れたり、水気のある商品でも使用可能となるので好ましい。耐水性の素材としては、プラスチックシート、防水加工紙等を例示することができる。ラベル本体１２は帯状片に形成され、その表面は情報表示領域として所定の情報６が表示される。この表示ラベル１１のラベル本体１２は、商品１０に巻き回されて結束する格好で使用されるので、帯状片に形成されたラベル本体１２の長さ、幅は、使用する商品に応じて適宜決定すればよい。商品１０の径が小さいのにラベル本体１２が長いと、巻き回して取付たとき、使用しない余る部分が多くなり不経済となるし、商品１０の径が大きいのにラベル本体１２の長さが短いと、巻き回して取付けることができないので、これらの点を考慮して最適の長さとする。また、ラベル本体１２の表面は情報表示領域となるので、所定の情報６が表示できる幅が必要となるし、結束機能を備えるので、商品１０によって結束が最適な幅とする。例えば、使用する商品１０がネギとかホウレン草のようなものは、数本、数株を結束して取付けるので、ある程度幅の広い方が安定して結束できるので好ましいが、大根のような１本のものに使用するものは、取付け機能だけでよいので所定の情報６が表示できる幅だけでもよい。
【００１７】
このラベル本体１２の一端側には、大径部１４と小径部１５とよりなる係止部１３が設けられる。この係止部１３は、大径部１４と小径部１５を対として少なくとも１対あればよいが、通常は複数対で形成される。本例では３対の場合を示している。１対の場合は大径部１４がラベル本体１２の長手方向の端部側とする。
大径部１４と小径部１５の形状は、特に制限はないが、後述する大径部１４と小径部１５の機能を考慮して選択する。本例では大径部１４を円形状とし、小径部１５をネック状としたものを示している。この大径部１４と小径部１５の形状は、好ましい形状の１つである。
【００１８】
また、ラベル本体１２の他端側には、切込線により長いスリット１７と短いスリット１８がＴ字状又は交差して設けられた係止スリット部１６が形成される。本例では、ラベル本体１２の長手方向に設けられた長いスリット１７とラベル本体１２の幅方向に設けられた短いスリット１８で、Ｔ字状に形成した場合を示している。この係止スリット部１６の形状によれば、表示ラベル１１を商品１０に巻き回して取付けた時、表示ラベル１１に捩れ部分が生ずることなく取付けられるので、好ましいものである。
前記係止スリット部１６の長いスリット１７は、前記係止部１３の大径部１４の直径Ｒの長さより長く形成される。また、前記係止スリット部１６の短いスリット１８は、前記係止部１３の小径部１５の直径ｒの長さと略同じかそれより長く、かつ大径部１４の直径Ｒの長さより短く形成される。
【００１９】
これにより大径部１４は長いスリット１７は通過（挿入）可能であるが、短いスリット１８は通過できない。また、小径部１５は長いスリット１７はもちろん短いスリット１８も通過可能である。また、長いスリット１７と短いスリット１８はＴ字状に連続している。従って、表示ラベル１１を商品に巻き回した後、まず長いスリット１７より係止部１３を挿入すると大径部１４も通過可能であるので、長いスリット１７に挿入され大径部１４が長いスリット１７を通過し長いスリット１７の位置に小径部１５が位置すると、この小径部１５を長いスリット１７から短いスリット１８に移動させることができる。この短いスリット１８の位置では、大径部１４は通過できないので、抜け止めされ巻き回した状態を保持する。図２はこの状態をよく表している。
なお、長いスリット１７および短いスリット１８の端部には小孔部１９を形成すると、スリット１７、１８の端部を起点として切り裂きが不用意に生ずることが防止されるので好ましい。
【００２０】
しかして、この考案の第２の実施の形態に係る表示ラベル１１によれば、商品１０に巻き回し前記のようにして係止スリット部１６に係止部１３を挿入して抜け止めさせることによって商品１０に取付けることができる。この時、係止部１３を形成する大径部１４と小径部１５が交互に複数設けられていると、どの大径部１４で抜け止めさせるかを選択できるため、商品１０のサイズが異なっても対応可能となると共に、商品を結束することができる。
図３は、商品１０としてネギを結束して表示ラベル１１を装着した場合であり、図４は、商品１０としてホウレン草を結束して表示ラベル１１を装着した場合であり、図５は、商品として魚に表示ラベル１１を巻き回して装着した場合を示している。
この表示ラベル１１によれば、商品１０に巻き回し係止スリット部１６に係止部１３を挿入して抜け止めさせて取付けられているだけなので、商品１０の使用時には手で大径部１４を長いスリット１７に位置させるだけで、表示ラベル１を容易に取り外すことができる。
【００２１】
なお、前記実施の形態は、この考案を制限するものではなく、この考案は要旨を逸脱しない範囲内で種々の変形が許容される。
【図面の簡単な説明】
【００２２】
【図１】この考案の実施の形態を示す斜視図である。
【図２】この考案の実施の形態の作用状態を示す斜視図である。
【図３】この考案の実施の形態の使用状態を示す斜視図である。
【図４】この考案の実施の形態の別の使用状態を示す斜視図である。
【図５】この考案の実施の形態の別の使用状態を示す斜視図である。
【符号の説明】
【００２３】
６  所定情報
１１  表示ラベル
１２  ラベル本体
１０  商品
１３  係止部
１４  大径部
１５  小径部
１６  係止スリット部
１７  長いスリット
１８  短いスリット
１９  小孔
【図１】
0003124432.tif 000003
【図２】
0003124432.tif 000004
【図３】
0003124432.tif 000005
【図４】
0003124432.tif 000006
【図５】
0003124432.tif 000007